(57)【要約】      （修正有）【課題】紙と各種方式のデータメディアとを一台のシュレッダーで、細断処理することの出来る複合型シュレッダーを提供する。【解決手段】カッター本体の摺り合わせない背方片面に、外周端縁に向けてテーパーを付け、対向して反対方向に回転駆動するカッター本体の細断刃における突切り刃部とこれに連続する凹切刃部とが互いに相対応するように組み合わせるとともに、駆動回転により対応する左右の突切り刃部の刃先間隔が厚さ各種メディアが挿入できる幅になったとき、当該メディアの先端部が対応する左右の凹切刃部が構成する噛込みスペース内に４ｍｍ以上挿入できるように構成し、且つ左右の凹切刃部の刃底における最小噛み合わせ部分が１ｍｍ以上となるように組合せ構成したマルチメディア細断用カッターである。また、当該マルチメディア細断用カッターと紙細断用カッターとの２種類を２本の平行軸にタンデムに配置軸着した複合型シュレッダー。【選択図】      図１４
2007098286.tif 000002
【特許請求の範囲】
【請求項１】
円板状基板の中央部に軸体嵌合穴が穿設されており、その外周縁部に等間隔をおいて切り欠くことにより当該外周縁部に回転方向に指向する突切り刃部とこれに連続する凹切刃部とからなる細断刃を複数形成してなるカッター本体と、このカッター本体一対を互いに剪入重合して片面を摺り合わせるように２本の平行軸に多数軸架配列し固定してなるメディア細断用カッターにおいて、
当該カッター本体の外周縁部に、そのカッター本体を平行軸に軸架配列し固定した際に摺り合わせない背方片面に、外周端縁に向けてテーパーを付けたことを特徴とするマルチメディア細断用カッター。
【請求項２】
円板状基板の中央部に軸体嵌合穴が穿設されており、その外周縁部に等間隔をおいて切り欠くことにより当該外周縁部に回転方向に指向する突切り刃部とこれに連続する凹切刃部とからなる細断刃を複数形成したカッター本体と、このカッター本体一対を互いに剪入重合して摺り合わせるように２本の平行軸に多数軸架配列し固定してなるメディア細断用カッターにおいて、
カッター本体の外周縁部に、そのカッター本体を平行軸に軸架配列し固定した際に摺り合わせない背方片面に、外周端縁に向けてテーパーを付けたことを特徴とするマルチメディア細断用カッターを用意し、
当該カッター本体一対を互いに剪入重合して片面が摺り合うように２本の平行軸にそれぞれ軸架配列し固定するが、この際、対向して反対方向に回転駆動するカッター本体の細断刃における突切り刃部とこれに連続する凹切刃部とが互いに相対応するように組み合わせるとともに、
駆動回転により相対応する左右の突切り刃部の刃先間隔が厚さ１０.５ｍｍのデータカートリッジ（ＤＤＳ）や光磁気ディスク（ＭＯ）が挿入できる幅になったとき、当該データカートリッジ（ＤＤＳ）や光磁気ディスク（ＭＯ）の先端部が、相対応する左右の凹切刃部が構成する噛込みスペース内に４ｍｍ以上挿入できるように構成し、且つ左右の凹切刃部の刃底における最小噛み合わせ部分が１ｍｍ以上となるように組み合わせ構成したことを特徴とするマルチメディア細断用カッター。
【請求項３】
円板状基板の中央部に軸体嵌合穴が穿設されており、その外周縁部に等間隔をおいて切り欠くことにより当該外周縁部に回転方向に指向する突切り刃部とこれに連続する凹切刃部とからなる細断刃を複数形成したカッター本体と、このカッター本体一対を互いに剪入重合して摺り合わせるように２本の平行軸に多数軸架配列し固定してなるメディア細断用カッターにおいて、
カッター本体の外周縁部に、そのカッター本体を平行軸に軸架配列し固定した際に摺り合わせない背方片面に、外周端縁に向けてテーパーを付けたことを特徴とするメディア細断用カッターを用意し、
そのカッター本体一対を互いに剪入重合して片面が摺り合うように２本の平行軸に軸架配列して固定するが、この際、対向して反対方向に回転駆動するカッター本体の細断刃における突切り刃部とこれに連続する凹切刃部とが互いに相対応するように組み合わせるとともに、
回転駆動により相対応する左右の突切り刃部の刃先間隔が厚さ３．５ｍｍのフロッピーデスク（ＦＤ）が挿入できる幅になったとき、当該フロッピーデスク（ＦＤ）の先端部が、相対応する左右の凹切刃部が構成する噛込みスペース内に２ｍｍ以上挿入できるように構成し、且つ左右の凹切刃部の刃底における最小噛み合わせ部分が１ｍｍ以上となるように組み合わせ構成したことを特徴とするマルチメディア細断用カッター。
【請求項４】
両方の軸端側でそれぞれの支持部材によって回転自在に支持される２本の平行軸に、円板状基板の外周縁部に等間隔をおいて切り欠くことにより当該外周縁部に回転方向に指向する突切り刃部とこれに連続する凹切刃部とからなる細断刃を複数形成したカッター本体と、このカッター本体一対を互いに剪入重合して摺り合わせるように多数軸架配列した細断用カッターを装着したことを特徴とするシュレッダーにおいて、
前記２本の平行軸に装着可能な紙細断用カッターと、請求項２又は請求項３に記載するマルチメディア細断用カッターとを用意し、
当該紙細断用カッターと、請求項２又は請求項３に記載するマルチメディア細断用カッターとの２種類を前記２本の平行軸にタンデムに配置軸着するが、
その際、当該２本の平行軸の左右両端側と、紙細断用カッターと前記マルチメディア細断用カッターの間との３ヶ所で、支持部材により回転自在に支持するとともに、前記支持部材は基枠に装着してあり、駆動時の負荷により紙細断用カッターと複合型メディア細断用カッターがねじれたり、変形したりするのを防止することの出来るように構成し、
前記２本の平行軸の左右両端部にそれぞれ一対の歯車を設け、当該左右両端部の一対の歯車を噛合するように構成して、駆動源から一方の軸体に設けられた歯車に付与された駆動回転力が他方の軸体に設けられた歯車への噛合によって他方の軸体に伝達して反対方向に協働回転するようにしたことを特徴とする紙とメディア細断用の複合型シュレッダー。
【発明の詳細な説明】
【技術分野】
【０００１】
本発明は、紙と各種方式のデータメディアとを一台のシュレッダーで、細断処理することの出来るマルチメディア細断用カッターと、紙とメディア細断用の複合型シュレッダーに関する。
【０００２】
本発明は特に紙だけでなく、カード（ＣＡＲＤ）、フロッピーディスク（ＦＤ）、光磁気ディスク（ＭＯ）、コンパクト・ディスク（ＣＤ）、デジタル・バサティル・ディスク（ＤＶＤ）、データカートリッジ（ＤＤＳ）などのマルチ・データメディアを処理することができる点に特徴がある。このように本発明は一台で何役もこなすことの出来る便利な装置であり、ペーパーレス時代の情報管理をサポートができ、機密漏洩を防止したり個人情報保護法対策にも適した複合型のシュレッダーである。
【背景技術】
【０００３】
従来より、紙を細断処理するシュレッダーが主体であったが、近年フロッピーやコンパクトディスクなどのデータメディアを細断するシュレッダーが開発されるようになった。しかし、データメディアは、カード（ＣＡＲＤ）、フロッピーディスク（ＦＤ）、光磁気ディスク（ＭＯ）、コンパクトディスク（ＣＤ）、デジタル・バサティル・ディスク（ＤＶＤ）、データカートリッジ（ＤＤＳ）など多種多様であり、その処理対象の寸法や形状や材質などが相違している。したがって、これらのいずれをも一台のカッターやシュレッターで細断、破壊処理するのは難しいとされている。
【発明の開示】
【発明が解決しようとする課題】
【０００４】
本発明者は、以前から文書細断用のシュレッターを開発し、製造・販売してきたこともあって紙の細断については、従来の紙用カッターを利用できるようになし（例えば、特許２０４５６８６号）、データメディアの細断についてだけ新たにマイクロメディア用のカッターを開発し、これを共通する軸体にタンデムに組み合わせて一体化して一台の装置で、紙とデータメディアとの両方を確実に細断することのできるような複合型シュレッダーを開発することにした。
【０００５】
特にマイクロメディア用のカッターの開発に当たっては、データメディアが種類によってその寸法や形状や材質が異なっているが、処理対象のデータメディアが変わっても同じマイクロメディア用のカッターで細断処理できるようにすることを目指すこととした。
【０００６】
データメディアは種類別に規格化され寸法や形状が統一されていることから、処理対象のデータメディアが変わっても確実に噛み込むことができるようにすること、処理対象のデータメディアがいずれに変わっても確実に細断できるだけのパワーと剛性があること、データメディアはいずれも固形物であり細断時の負荷が大きくなるので、余分な負荷が掛からないようにすること、といった技術課題を解消することによって、複数種類のデータメディアを同じカッターでも細断処理できることが解った。
【０００７】
本発明は、このような新たに得た技術的知見に基づいてマルチメディア細断用カッターと紙とメディア細断用の複合型シュレッダーを開発したものである。
【課題を解決するための手段】
【０００８】
特許を受けようとする第１発明は、円板状基板の中央部に軸体嵌合穴が穿設されており、その外周縁部に等間隔をおいて切り欠くことにより当該外周縁部に回転方向に指向する突切り刃部とこれに連続する凹切刃部とからなる細断刃を複数形成してなるカッター本体と、このカッター本体一対を互いに剪入重合して片面を摺り合わせるように２本の平行軸に多数軸架配列し固定してなるメディア細断用カッターにおいて、当該カッター本体の外周縁部に、そのカッター本体を平行軸に軸架配列し固定した際に摺り合わせない背方片面に、外周端縁に向けてテーパーを付けたことを特徴とするマルチメディア細断用カッターである。
【０００９】
当該第１発明は、カッター本体の外周縁部の背方片面に、テーパーを付けたことが特徴のマルチメディア細断用カッターである。これは図１２（イ）に示すように、処理対象のデータメディアを細帯状に切断する際、細断刃カッター本体の細断刃の厚さがあると、処理対象のデータメディアが固形であるため、隣接するカッター本体の細断刃との間でねじれが生じる。このため細断時には処理対象のデータメディアが細断刃の厚さ部分に衝当し、細断力の作用点が分散して４箇所に増えるため、細断刃に対する負荷が大きくなるし、切れ味が低下する。しかるに本発明は、図１２（ロ）に示すように、カッター本体の背方片面に外周縁部に向けてテーパーを付けることによって無駄な衝当を避けて細断力の作用点を集中させ、細断の際の負荷を低減し、切れ味を向上させたものである。
【００１０】
特許を受けようとする第２発明は、円板状基板の中央部に軸体嵌合穴が穿設されており、その外周縁部に等間隔をおいて切り欠くことにより当該外周縁部に回転方向に指向する突切り刃部とこれに連続する凹切刃部とからなる細断刃を複数形成したカッター本体と、このカッター本体一対を互いに剪入重合して摺り合わせるように２本の平行軸に多数軸架配列し固定してなるメディア細断用カッターにおいて、カッター本体の外周縁部に、そのカッター本体を平行軸に軸架配列し固定した際に摺り合わせない背方片面に、外周端縁に向けてテーパーを付けたことを特徴とするマルチメディア細断用カッターを用意する。そして、当該カッター本体一対を互いに剪入重合して片面が摺り合うように２本の平行軸にそれぞれ軸架配列し固定するが、この際、対向して反対方向に回転駆動するカッター本体の細断刃における突切り刃部とこれに連続する凹切刃部とが互いに相対応するように組み合わせるとともに、駆動回転により相対応する左右の突切り刃部の刃先間隔が厚さ１０.５ｍｍのデータカートリッジ（ＤＤＳ）が挿入できる幅になったとき、当該データカートリッジ（ＤＤＳ）の先端部が、相対応する左右の凹切刃部が構成する噛込みスペース内に４ｍｍ以上挿入できるように構成し、且つ左右の凹切刃部の刃底における最小噛み合わせ部分が１ｍｍ以上となるように組み合わせ構成したことを特徴とするマルチメディア細断用カッターである。
【００１１】
第２発明は、カード（ＣＡＲＤ）、フロッピーディスク（ＦＤ）、光磁気ディスク（ＭＯ）、コンパクト・ディスク（ＣＤ）、デジタル・バサティル・ディスク（ＤＶＤ）、データカートリッジ（ＤＤＳ）などの各種データメディアを細断できるマルチメディア細断用カッターを具現化したものである。
【００１２】
そのために開発した第１発明のマルチメディア細断用のカッター本体を用意し、これを互いに剪入重合して片面が摺り合うように２本の平行軸にそれぞれ軸架配列し固定するのであるが、その際、処理対象となる各種データメディアのうちで、厚さが最も大きいデータカートリッジ（ＤＤＳ）でも相対応する左右の凹切刃部が構成する噛込みスペース内に挿入でき、それを噛み込むことが出来るように構成するように構成したものである。これによって、データカートリッジ（ＤＤＳ）より厚さの薄い各種データメディアの全てを噛込みスペース内に挿入でき、噛み込むことが出来るようにし、これらの全てを細断できるようにしたものである。すなわち、本発明は、一台六役のマルチメディア細断用カッターを具現化したものである。
【００１３】
特許を受けようとする第３発明は、円板状基板の中央部に軸体嵌合穴が穿設されており、その外周縁部に等間隔をおいて切り欠くことにより当該外周縁部に回転方向に指向する突切り刃部とこれに連続する凹切刃部とからなる細断刃を複数形成したカッター本体と、このカッター本体一対を互いに剪入重合して摺り合わせるように２本の平行軸に多数軸架配列し固定してなるメディア細断用カッターにおいて、カッター本体の外周縁部に、そのカッター本体を平行軸に軸架配列し固定した際に摺り合わせない背方片面に、外周端縁に向けてテーパーを付けたことを特徴とするメディア細断用カッターを用意する。そのうえで、そのカッター本体一対を互いに剪入重合して片面が摺り合うように２本の平行軸に軸架配列して固定するが、この際、対向して反対方向に回転駆動するカッター本体の細断刃における突切り刃部とこれに連続する凹切刃部とが互いに相対応するように組み合わせるとともに、回転駆動により相対応する左右の突切り刃部の刃先間隔が厚さ３．５ｍｍのフロッピーデスク（ＦＤ）が挿入できる幅になったとき、当該フロッピーデスク（ＦＤ）の先端部が、相対応する左右の凹切刃部が構成する噛込みスペース内に２ｍｍ以上挿入できるように構成し、且つ左右の凹切刃部の刃底における最小噛み合わせ部分が１ｍｍ以上となるように組み合わせ構成したことを特徴とするマルチメディア細断用カッターである。
【００１４】
当該第３発明は、汎用性の高いカード（ＣＡＲＤ）、フロッピーディスク（ＦＤ）、コンパクト・ディスク（ＣＤ）、デジタル・バサティル・ディスク（ＤＶＤ）のいずれをも細断できるマルチメディア細断用カッターを具現化したものである。第２発明との相違は、光磁気ディスク（ＭＯ）やデータカートリッジ（ＤＤＳ）が細断できないだけである。
【００１５】
特許を受けようとする第４発明は、両方の軸端側でそれぞれの支持部材によって回転自在に支持される２本の平行軸に、円板状基板の外周縁部に等間隔をおいて切り欠くことにより当該外周縁部に回転方向に指向する突切り刃部とこれに連続する凹切刃部とからなる細断刃を複数形成したカッター本体と、このカッター本体一対を互いに剪入重合して摺り合わせるように多数軸架配列した細断用カッターを装着したことを特徴とするシュレッダーにおいて、前記２本の平行軸に装着可能な紙細断用カッターと、請求項２又は請求項３に記載するマルチメディア細断用カッターとを用意する。そのうえで、当該紙細断用カッターと、請求項２又は請求項３に記載するマルチメディア細断用カッターとの２種類を前記２本の平行軸にタンデムに配置軸着するが、その際、当該２本の平行軸の左右両端側と、紙細断用カッターと前記マルチメディア細断用カッターの間との３ヶ所で、支持部材により回転自在に支持するとともに、前記支持部材は基枠に装着してあり、駆動時の負荷により紙細断用カッターと複合型メディア細断用カッターがねじれたり、変形したりするのを防止することの出来るように構成する。更に、前記２本の平行軸の左右両端部にそれぞれ一対の歯車を設け、当該左右両端部の一対の歯車を噛合するように構成して、駆動源から一方の軸体に設けられた歯車に付与された駆動回転力が他方の軸体に設けられた歯車の噛合によって他方の軸体に確実に伝達して反対方向に協働回転するようにしたことを特徴とする紙とメディア細断用の複合型シュレッダーである。
【００１６】
当該第４発明は、紙とメディア細断用の複合型シュレッダーである。本発明の基本構成は、紙細断用カッターとマルチメディア細断用カッターとの２種類を、共通する２本の平行軸にタンデムに配置軸着して一体化したことを特徴とする複合型シュレッダーである。特にマルチメディア細断用カッターは、多種類のデータメディアを細断できるので、一台のシュレッダーで、紙とマルチメディアの細断処理が可能となった。しかし、このように多種類の処理対象を細断するときの負荷が大きくなったり小さくなったりするなど多様化するので、当該細断用カッターにゆがみやひねりなどの変形が生じることがある。このような細断作業中の細断用カッターの変形や狂いにより、予定している設計性能を発現できなくなり、細断能力が低下したり、詰まりや異常運転や異常停止などの不具合が起こる可能性がある。これでは安定した細断作業を行うことができなくなる。本発明はこのような難点を解消するため、前記２本の平行軸の左右両端側と、紙細断用カッターと前記マルチメディア細断用カッターの間との３ヶ所で、支持部材により回転自在に支持するとともに、前記支持部材は基枠に装着して、駆動時の負荷により紙細断用カッターと複合型メディア細断用カッターがねじれたり、揺動したりするのを防止するように構成した。
【００１７】
また、前記２本の平行軸へ駆動回転力を付与する方法として、平行軸の左右両端部にそれぞれ一対の歯車を設け、当該左右両端部の一対の歯車を噛合するように構成して、駆動源から一方の軸体に設けられた歯車に付与された駆動回転力が他方の軸体に設けられた歯車の噛合によって他方の軸体に確実に伝達して反対方向に協働回転するように構成した。これは２本の平行軸が安定的に協働回転できるようにするためである。
【００１８】
以上のように、本発明に係る紙とメディア細断用の複合型シュレッダーは、紙細断用カッターとマルチメディア細断用カッターとを一体化して一台で何役もの処理ができる多機能化を実現したが、同時に、どのような処理対象の場合でも安定的な作動により確実に細断処理が出来るようにしたことが特徴である。
【発明の効果】
【００１９】
第１発明は、カッター本体の外周縁部の背方片面に、テーパーを付けたことが特徴のマルチメディア細断用カッターである。処理対象のデータメディアが固形であるため、これを細帯状に切断する際、細断刃カッター本体の細断刃の厚さがあると、隣接するカッター本体の細断刃との間でねじれが生じ、細断時には処理対象のデータメディアが細断刃の厚さ部分に衝当し、細断刃に対する負荷が大きくなり、切れ味が低下する。本発明は、カッター本体の外周縁部の背方片面にテーパーを付けて無駄な衝当を避け、細断力の作用点を集中させることができるので、細断の際の負荷を低減し切れ味を向上させることができるようになった。
【００２０】
第２発明は、２本の平行軸に多数軸架配列し固定してなるメディア細断用カッターにおいて、一台でカード（ＣＡＲＤ）、フロッピーディスク（ＦＤ）、光磁気ディスク（ＭＯ）、コンパクト・ディスク（ＣＤ）、デジタル・バサティル・ディスク（ＤＶＤ）、データカートリッジ（ＤＤＳ）などの各種データーメディアを細断できるマルチメディア細断用カッターを具現化したものである。
【００２１】
第３発明は、２本の平行軸に多数軸架配列し固定してなるメディア細断用カッターにおいて、汎用性の高いカード（ＣＡＲＤ）、フロッピーディスク（ＦＤ）、コンパクト・ディスク（ＣＤ）、デジタル・バサティル・ディスク（ＤＶＤ）のいずれをも細断できるマルチメディア細断用カッターを具現化したものである。
【００２２】
第４発明は、紙細断用カッターとマルチメディア細断用カッターとの２種類を、共通する２本の平行軸にタンデムに配置軸着して一体化したことを特徴とする複合型シュレッダーである。本発明に係る紙とメディア細断用の複合型シュレッダーは、紙細断用カッターＣとマルチメディア細断用カッターＡ又はＢとを一体化して一台で何役もの処理ができる多機能化を実現したが、同時に、紙でも各種のデータメディアのいずれを細断処理する場合でも常に安定的な作動により確実に細断処理が出来るようにしたものである。
【発明を実施するための最良の形態】
【００２３】
円板状基板の中央部に軸体嵌合穴２が穿設されており、その外周縁部に等間隔をおいて切り欠くことにより当該外周縁部に回転方向に指向する突切り刃部とこれに連続する凹切刃部とからなる細断刃を複数形成したカッター本体と、このカッター本体一対を互いに剪入重合して摺り合わせるように２本の平行軸に多数軸架配列し固定してなるメディア細断用カッターにおいて、次のように構成にしたことを特徴とする。
【００２４】
第１に、カッター本体の中央部に軸体嵌合穴が穿設されており、その外周縁部に、そのカッター本体を平行軸に軸架配列し固定した際に摺り合わせない背方片面に、外周端縁に向けてテーパーを付ける。
【００２５】
第２に、当該カッター本体一対を互いに剪入重合して片面が摺り合うように２本の平行軸にそれぞれ軸架配列し固定するが、この際、対向して反対方向に回転駆動するカッター本体の細断刃における突切り刃部とこれに連続する凹切刃部とが互いに相対応するように組み合わせる。
【００２６】
第３に、駆動回転により相対応する左右の突切り刃部の刃先間隔が厚さ１０.５ｍｍのデータカートリッジ（ＤＤＳ）が挿入できる幅になったときに、当該データカートリッジ（ＤＤＳ）の先端部が、相対応する左右の凹切刃部が構成する噛込みスペース内に４ｍｍ以上挿入できるように構成する。
【００２７】
第４に、左右の凹切刃部の刃底における最小噛み合わせ部分が１ｍｍ以上となるように組み合わせ構成した。
【００２８】
以上のように構成したマルチメディア細断用カッターを用いて、マルチメディア細断用シュレッダーにしても良いが、更に、紙とメディア細断用の複合型シュレッダーを具現化することが出来る。
【００２９】
第５に、紙とメディア細断用の複合型シュレッダーの場合には、前記のように構成したマルチメディア細断用カッターと、既存の紙細断用カッターとの２種類を前記２本の平行軸にタンデムに配置軸着して一体化した複合型細断用カッターを構成し、これを用いて紙と各種メディアを一台で細断処理できるシュレッダーを具現化することが出来る。
【００３０】
第６に、その際、当該２本の平行軸の左右両端側と、紙細断用カッターと前記マルチメディア細断用カッターの間との３ヶ所で、支持部材により回転自在に支持するとともに、前記支持部材は基枠に装着して、駆動時の負荷により紙細断用カッターと複合型メディア細断用カッターがねじれたり、平行軸間の拡がり（たわみ）など変形するのを防止することが出来るように構成する。
【００３１】
第７に、前記２本の平行軸の左右両端部に設けられた歯車を噛合するように構成して、駆動源から一方の軸体に設けられた歯車に付与された駆動回転力が他方の軸体に設けられた歯車への噛合によって他方の軸体に伝達して確実に反対方向に協働回転するようにした。
【００３２】
以上のように、紙とメディア細断用の複合型シュレッダーの場合には、多機能になる反面、負荷のかかり方が多様化して、安定した細断処理が困難になる技術課題が発生するので、この技術課題を解消するため前記第１〜第７までの特徴ある構成を採用し、これによって効率的、安定的に紙とマルチメディアを細断できるようにした複合型シュレッダーを具現化したのである。
【００３３】
以下、本発明にかかるマルチメディア細断用カッターと紙とメディア細断用の複合型シュレッダーについて、図示実施例に基づいて説明する。
【００３４】
図１は、カッター本体の一実施例を示す正面図であり、図２は、カッター本体の一実施例を示す平面図である。図３は、カッター本体の一実施例を用いて構成したメディア細断用カッターの第１実施例にデータメディア（ＤＤＳ，ＭＯ，ＦＤ，ＣＤ）を挿入させた状態を示す正面図と平面図であり、図４は、同メディア細断用カッターにデータカートリッジ（ＤＤＳ）が挿入できる幅になったときの状態を示す正面説明図であり、図５は、同メディア細断用カッターにデータカートリッジ（ＤＤＳ）が噛み込まれた状態を示す正面説明図である。
【００３５】
図６は、カッター本体の他実施例を用いて構成したメディア細断用カッターの第２実施例を示す正面図と平面図であり、図７は、カッター本体の他実施例を用いて構成したメディア細断用カッターの第２実施例にデータメディアが挿入させた状態を示す正面説明図と平面図である。
【００３６】
図８は、データメディアを所定幅に帯状に細断できるメディア細断用カッターの実施態様例を示す平面図であり、図９は、図８に記載したメディア細断用カッターを用いてデータメディアを細断する状態を示す平面図である。また、図１０は、データメディアを中央部を避けて所定幅に帯状に細断できるメディア細断用カッターの他実施態様例を示す平面図であり、図１１は、図１０に記載したメディア細断用カッターを用いてデータメディアを細断する状態を示す平面図である。図１２の（イ）は、従来のカッター本体の組み合わせと、細断作業状態を示す要部説明図であり、同（ロ）は、本件発明のカッター本体の組み合わせと、細断作業状態を示す要部説明図である。図１３は、紙細断用カッターの組み合わせ状態を示す正面説明図である。図１４は、本発明に係るメディア細断用カッターを用いたと紙とメディア細断用の複合型シュレッダーの一実施例を示す平面図と紙細断用カッターの組み合わせ状態を示す正面説明図であり、図１５は、本発明に係る他のメディア細断用カッターを用いた紙とメディア細断用の複合型シュレッダーの他実施例を示す平面図と紙細断用カッターの組み合わせ状態を示す正面説明図である。
【００３７】
実施例１は、図１、図２に示すカッター本体４aと図３に示すようにこれを２本の平行軸５a， ５ｂに多数軸架配列し固定してなるメディア細断用カッターである。
【００３８】
実施例２は、図６に示すカッター本体４ｂと図７に示すようにこれを２本の平行軸５a， ５ｂに多数軸架配列し固定してなるメディア細断用カッターである。
【００３９】
当該カッター本体４a（第１実施例），４b（第２実施例）は、円板状基板１の中央部に軸体嵌合穴２が穿設されており、その外周縁部には、等間隔をおいて切り欠きにより細断刃３，３，…が複数形成されている。当該細断刃３，３，…は、当該外周縁部に回転方向に指向する突切り刃部３aとこれに連続する凹切刃部３ｂとからなる細断刃３，３，…を複数形成してなるものである。この第１実施例カッター本体４a，４ａ若しくは第１実施例カッター４ｂ，４ｂを一対を対向させ
、そのカッター本体４ａ，４ａ若しくは４ｂ，４ｂを互いに剪入重合して片面を摺り合わせるように２本の平行軸５a，５ｂに数軸架配列し固定してメディア細断用カッターA（第１実施例），B（第２実施例）を構成する。
【００４０】
本発明は、当該カッター本体４a（第１実施例），４b（第２実施例）の摺り合わせない背方片面に、外周端縁に向けてテーパー６を付けておくことが特徴である。
【実施例１】
【００４１】
実施例１は、一台で６種類のデータメディアを細断できるマルチメディア細断用カッターである。当該細断処理が可能なデータメディアは、カード（ＣＡＲＤの厚さ０.８ｍｍ）、フロッピーディスク（ＦＤの厚さ３.５ｍｍ）、光磁気ディスク（ＭＯの厚さ６ｍｍ）、コンパクト・ディスク（ＣＤの厚さ１.２ｍｍ）、デジタル・バサティル・ディスク（ＤＶＤの厚さ１.２ｍｍ）、データカートリッジ（ＤＤＳの厚さ１０.５ｍｍ）の６種類である。この実施例１のマルチメディア細断用カッターA，Bの構成は、図１、図２に示すカッター本体４aと図３、図４、図５に示すようにこれを２本の平行軸５a，
５ｂに多数軸架配列し固定してなるものである。
【００４２】
円板状基板１の中央部に軸体嵌合穴２が穿設されており、その外周縁部に等間隔をおいて切り欠くことにより当該外周縁部に回転方向に指向する突切り刃部３aとこれに連続する凹切刃部３bとからなる細断刃３を複数形成したカッター本体４aと、このカッター本体４a一対を互いに剪入重合して摺り合わせるように２本の平行軸５a,５bに多数軸架配列し固定してなるメディア細断用カッターA，Bにおいて、カッター本体４a,の外周縁部に、そのカッター本体４aを平行軸５a,
５bに軸架配列し固定した際に摺り合わせない背方片面に、外周端縁に向けてテーパー６を付けたことを特徴とするマルチメディア細断用カッターA，Bを用意する。
【００４３】
当該カッター本体４a，４a一対を対向させ、互いに剪入重合して片面が摺り合うように２本の平行軸５a,
５bにそれぞれ軸架配列し固定した。この際、対向して反対方向に回転駆動するカッター本体４a，４aの細断刃３，３，…における突切り刃部３aとこれに連続する凹切刃部３bとが互いに相対応するように組み合わせ構成する（図３、図４、図５）。尚、この細断刃の組み合わせ方は、紙細断用カッターC（図１３）の場合とは大きく相違する。
【００４４】
また図４に示すように駆動回転により相対応する左右の突切り刃部３a, ３aの刃先間隔が厚さ１０.５ｍｍのデータカートリッジ（ＤＤＳ）が挿入できる幅になったとき、当該データカートリッジ（ＤＤＳ）の先端部が、相対応する左右の凹切刃部３b，３ｂが構成する噛込みスペース７内に４ｍｍ以上挿入できるように構成し、且つ左右の凹切刃部３b，３bの刃底における最小噛み合わせ部分が１ｍｍ以上となるように組み合わせ構成したことを特徴とするマルチメディア細断用カッターである。
【００４５】
本実施例１における細断刃３，３の組み合わせ状態の特定基準をデータカートリッジ（ＤＤＳ）で規定したのは、各種データメディアのうち、当該データカートリッジ（ＤＤＳ）の寸法（８１０.５ｍｍ）が一番大きく、この基準であればカード（ＣＡＲＤ）、フロッピーディスク（ＦＤ）、光磁気ディスク（ＭＯ）、コンパクト・ディスク（ＣＤ）、デジタル・バサティル・ディスク（ＤＶＤ）、データカートリッジ（ＤＤＳ）のいずれも細断処理できることになるからである。
【実施例２】
【００４６】
実施例２は、一台で４種類のデータメディアを細断できるマルチメディア細断用カッターである。当該細断処理が可能なデータメディアは、汎用性のあるカード（ＣＡＲＤの厚さ０.８ｍｍ）、フロッピーディスク（ＦＤの厚さ３.５ｍｍ）、コンパクト・ディスク（ＣＤの厚さ１.２ｍｍ）、デジタル・バサティル・ディスク（ＤＶＤの厚さ１.２ｍｍ）の４種類である。この実施例２のマルチメディア細断用カッターＢの構成は、図６に示すカッター本体４bを図７に示すように２本の平行軸５a，
５ｂに多数軸架配列し固定したものである。
【００４７】
それは、円板状基板１の中央部に軸体嵌合穴２が穿設されており、その外周縁部に等間隔をおいて切り欠くことにより当該外周縁部に回転方向に指向する突切り刃部３aとこれに連続する凹切刃部３ｂとからなる細断刃３を複数形成したカッター本体４ｂと、このカッター本体４ｂを一対、互いに剪入重合して摺り合わせるように２本の平行軸５ａ,５ｂに多数軸架配列し固定してなるメディア細断用カッターである。当該カッター本体４ｂの外周縁部に、そのカッター本体４ｂを平行軸５a,
５ｂに軸架配列し固定した際に摺り合わせない背方片面に、外周端縁に向けてテーパー６を付けてある。
【００４８】
当該カッター本体４b ，４b 一対を対向させ、互いに剪入重合して片面が摺り合うように２本の平行軸５a,
５bにそれぞれ軸架配列し固定した。この際、対向して反対方向に回転駆動するカッター本体４ｂ，４ｂの細断刃３，３，…における突切り刃部３aとこれに連続する凹切刃部３bとが互いに相対応するように組み合わせて構成する（図６、図７）。尚、この組み合わせ方は、紙細断用カッター（図１３）の場合とは、大きく相違する。
【００４９】
また図７に示すように駆動回転により相対応する左右の突切り刃部３a, ３aの刃先間隔が厚さ３．５ｍｍのフロッピーデスク（ＦＤ）やコンパクト・ディスク（ＣＤ）が挿入できる幅になったとき、当該フロッピーデスク（ＦＤ）やコンパクト・ディスク（ＣＤ）の先端部が、相対応する左右の凹切刃部３b，３ｂが構成する噛込みスペース７内に２ｍｍ以上挿入できるように構成し、且つ左右の凹切刃部３b，３b刃底における最小噛み合わせ部分が１ｍｍ以上となるように組み合わせ構成したことを特徴とするマルチメディア細断用カッターＢである。
【００５０】
本実施例１における細断刃３，３の組み合わせ状態の特定基準を３．５ｍｍのフロッピーディスク（ＦＤ）で規定したのは、この基準であればカード（ＣＡＲＤ）、フロッピーディスク（ＦＤ）、コンパクト・ディスク（ＣＤ）、デジタル・バサティル・ディスク（ＤＶＤ）のいずれも細断処理できることになるからである。
【００５１】
前記実施例１と実施例２とは、カッター本体４a，４ｂの細断刃の形状の相違いにより区別したマルチメディア細断用カッターA、Ｂであるが、当該カッター本体４a，４ｂを２本の平行軸５a,５bに複数軸架配列する際の配列の仕方によって異なる実施態様のマルチメディア細断用カッターを設計することができる。図８と図１０がそのマルチメディア細断用カッターＢである。
【００５２】
図８に記載した態様のマルチメディア細断用カッターAは、隣接するカッター本体の間に所定の幅のスペーサ１７を介在させて、一対のカッター本体を組み合わせた細断用刃部を所定の幅に配設したものである。この図８態様のマルチメディア細断用カッターを用いて各種データメディアを細断した場合には、図９に示すように、ほぼ均一な帯状に細断されることになる。
【００５３】
図１０に記載した態様のマルチメディア細断用カッターBは、平行軸５a,５bの左右両側に３組のカッター本体４ｂ，４ｂ一対を軸架配列し、中央部へは配設しないように設計したものである。これはフロッピーディスクのシャッター部や中央部が金属製のものがあり、その部分を細断しようとすると、カッター本体４ｂ，４ｂの細断刃３，３が刃こぼれを起し易くなるので、この部分の細断を避けるようにしたものである。この態様のマルチメディア細断用カッターBを用いてデータメディアを細断すると、図１１に示すように中央部を避けて裁断することになるが、それでもデータメディアの廃棄処分には充分である。
【実施例３】
【００５４】
前記実施例に係るマルチメディア細断用カッターを利用して、これに紙細断用カッターを組み合わせて、紙とメディア細断用の複合型シュレッダーを具現化したものである。本発明の基本構成は、図１４，図１５に示すように紙細断用カッターＣとマルチメディア細断用カッターA又はBとの２種類を、共通する２本の平行軸５a，５bにタンデムに配置軸着して一体化したことを特徴とする複合型シュレッダーである。当該複合型シュレッダーは、マルチメディア細断用カッターA，Bの部分で、４種類、６種類のデータメディアを細断できるようになるうえ、紙細断用カッターＣの部分で紙も細断することが可能となった。尚、紙細断用カッターは、既存のものでよい。このように一台のシュレッダーで、紙と各種マルチメディアの細断を共通する軸線上で出来るような方式にした点が特徴である。
【００５５】
図１４に示した複合型シュレッダーは、機外枠８内に２本の平行軸５a，５bを内装するが、当該２本の平行軸５a，５bは、その左右両方の軸端側でそれぞれの支持部材９，１０によって回転自在に支持されている。尚、図中１５は、平行軸５a，５bと支持部材９，１０の間に介在するベアリングである。このため、平行軸５a，５bは、回転自在に支持装着されている。
【００５６】
当該２本の平行軸５a，５bには、マルチメディア細断用カッターAと紙細断用カッターCとがタンデムに配置軸着して一体化されているのである。その際、紙細断用カッターCと前記マルチメディア細断用カッターAの間にも、支持部材１１を設け、これにも回転自在に支持するように構成する。即ち、２本の平行軸５a，５bにはマルチメディア細断用カッターAと紙細断用カッターCとがタンデムに配置軸着し一体化された細断用カッターを構成しているが、この一体型細断用カッターは、左右両端部と中央部との３ヶ所で前記支持部材９，１０，１１により支持されているのである。当該３ヶ所の支持部材９，１０，１１は更に機外枠８に固定されている基枠１２に装着してあり、駆動時の負荷により紙細断用カッターCと複合型メディア細断用カッターA，Ｃがねじれたり、変形したり、ごねりが生ずるのを防止することの出来るようになった。
【００５７】
このような支持部材９，１０，１１の基枠１２への装着は、材質や形状や大きさに相違する多種類の処理対象を細断するときの負荷の多様化によって生じる、当該細断用カッターＡ,Cのねじれや変形やごねりを防止するものである。本発明は、このように細断作業中の細断用カッターの変形や狂いにより生じる細断性能の低下や、詰まり、異常運転、異常停止などの不具合を予防し、実用性を高めているのである。
【００５８】
また、前記２本の平行軸５a，５bの左右両端部には、それぞれ一対の歯車１３a，１３ｂ，１４a，１４bを設け、当該左右両端部の一対の歯車１３a，１３ｂ，１４a，１４bを噛合するように構成して、駆動源１６から２本の平行軸５a，５bの一方の軸体５aに設けられた歯車１３a，１３ｂに付与された駆動回転力が他方の軸体５bに設けられた歯車１３a，１３ｂへの噛合によって他方の軸体５bに伝達して反対方向に協働回転するように構成した。これも協働回転力の円滑化を図るものである。
【００５９】
このように、本発明に係る紙とメディア細断用の複合型シュレッダーは、紙細断用カッターＣとマルチメディア細断用カッターAとを一体化して一台で何役もの処理ができる多機能化を実現したが、同時に、紙を細断処理する場合でも又は各種のデータメディアのいずれを細断処理する場合でも常に安定的な作動により確実に細断処理が出来るようにした点が特徴である。
【００６０】
図１５に示した複合型シュレッダーは、図１４に記載したものと別態様のマルチメディア細断用カッターBと紙細断用カッターＣとを用いて、製造した他実施例の複合型シュレッダーである。しかし、その発明の特徴は、図１４に記載したものと同じであるので、対応する部材の番号説明も図１４と同じである。したがって、ここでの詳細な説明は省略する。
【図面の簡単な説明】
【００６１】
【図１】カッター本体の一実施例を示す正面図である。
【図２】カッター本体の一実施例を示す平面図である。
【図３】カッター本体の一実施例を用いて構成したメディア細断用カッターの第１実施例にデータメディアを挿入させた状態を示す正面図と平面図である。
【図４】同メディア細断用カッターにデータカートリッジ（ＤＤＳ）が挿入できる幅になったときの状態を示す正面説明図である。
【図５】同メディア細断用カッターにデータカートリッジ（ＤＤＳ）が噛み込まれた状態を示す正面説明図である。
【図６】カッター本体の他実施例を用いて構成したメディア細断用カッターの第２実施例を示す正面図と平面図である。
【図７】カッター本体の他実施例を用いて構成したメディア細断用カッターの第２実施例にデータメディアが挿入させた状態を示す正面説明図と平面図である。
【図８】データメディアを所定幅に帯状に細断できるメディア細断用カッターの実施態様例を示す平面図である。
【図９】図８に記載したメディア細断用カッターを用いてデータメディアを細断する状態を示す平面図である。
【図１０】データメディアを中央部を避けて所定幅に帯状に細断できるメディア細断用カッターの他実施態様例を示す平面図である。
【図１１】、図１０に記載したメディア細断用カッターを用いてデータメディアを細断する状態を示す平面図である。
【図１２】（イ）は、従来のカッター本体の組み合わせと、細断作業状態を示す要部説明図であり、同（ロ）は、本件発明のカッター本体の組み合わせと、細断作業状態を示す要部説明図である。
【図１３】紙細断用カッターの組み合わせ状態を示す正面説明図である。
【図１４】本発明に係るメディア細断用カッターを用いたと紙とメディア細断用の複合型シュレッダーの一実施例を示す平面図である。
【図１５】本発明に係る他のメディア細断用カッターを用いた紙とメディア細断用の複合型シュレッダーの他実施例を示す平面図である。
【符号の説明】
【００６２】
１：円板状基板
２：軸体嵌合穴
３：細断刃
３a：突切り刃部
３b：凹切刃部
４a：カッター本体
４b：カッター本体
５a：平行軸
５b：平行軸
６：テーパー
７：噛込みスペース
８：機外枠
９：支持部材
１０：支持部材
１１：支持部材
１２：基枠
１３a：歯車
１３b：歯車
１４a：歯車
１４b：歯車
１５：ベアリング
１６：駆動源
A：メディア細断用カッター
B：メディア細断用カッター
C：紙細断用カッター
【図１】
2007098286.tif 000003
【図２】
2007098286.tif 000004
【図３】
2007098286.tif 000005
【図４】
2007098286.tif 000006
【図５】
2007098286.tif 000007
【図６】
2007098286.tif 000008
【図７】
2007098286.tif 000009
【図８】
2007098286.tif 000010
【図９】
2007098286.tif 000011
【図１０】
2007098286.tif 000012
【図１１】
2007098286.tif 000013
【図１２】
2007098286.tif 000014
【図１３】
2007098286.tif 000015
【図１４】
2007098286.tif 000016
【図１５】
2007098286.tif 000017